(57)【要約】      （修正有）【課題】机や家具などの材質，処理，形状などに大きく左右されず，表裏面の板厚や側面に空間が無い垂直側面においても影響を受けず，簡単な操作で安定して部材を吊り下げ保持できるとともに，表面に傷を付けることが無い，簡易，小型，設置自在，携帯に便利なベルトフッカーを提供する。【解決手段】すべり止め機能を備え，所定部を折り曲げ自在に形成したベルト１の片端部近傍に錘材３を搭載し，他端部近傍に保持具４を取り付けて手荷物などの部材を吊り下げる部材保持構造に関し，ベルトの錘材搭載部を机や家具などの表面５に配置し，すべり止め面Ａを接触させ，折り曲げ自在部Ｂによりエッジ７で側面に沿って折り曲げ，保持具に部材を吊り下げる。【選択図】図２
0003152918.tif 000002
【実用新案登録請求の範囲】
【請求項１】
すべり止め機能を備え，所定部を折り曲げ自在に形成したベルトの片端部近傍に錘材を搭載し，他端部近傍に保持具を取り付けて手荷物などの部材を吊り下げる部材保持構造に関し，ベルトの錘材搭載部を机や家具などの表面に配置し，すべり止め面を接触させ，折り曲げ自在部によりエッジで側面に沿って折り曲げ，保持具に部材を吊り下げることにより，錘材によりベルトを押圧する垂直荷重力，ならびにエッジへの押圧力などにより，ベルトに作用する静止摩擦力より小さな荷重力の部材を，机や家具などの側面に吊り下げることが出来る，簡易，小型，設置自在，携帯に便利なベルトフッカー。
【請求項２】
錘材の垂直荷重力を設定可能な構造とする，請求項１に記載する，簡易，小型，設置自在，携帯に便利なベルトフッカー。
【考案の詳細な説明】
【技術分野】
【０００１】すべり止め機能を備え，所定部分を折り曲げ自在に形成したベルトの片端部近傍に錘材を搭載し，他端部近傍に保持具を取り付けて手荷物などの部材を吊り下げる部材保持構造に関し，ベルトの錘材搭載部を机や家具などの表面に配置し，すべり止め面を接触させつつ，折り曲げ自在部によりエッジで側面に沿って折り曲げ，保持具に部材を吊り下げるベルトフッカー。
【背景技術】
【０００２】家庭や出先で手荷物などの部材を机や家具などに引っ掛けて吊るす保持具は大変重宝であり，机などの表裏面を支持部材で挟み込んで吊り下げる方法，表面に支持部材を載せて吊り下げる方法，吸盤，磁石などで吊り下げる方法など種々が実用化されている。しかし，表裏面を支持部材で挟み込む方法では，表裏面の板厚が厚いと挟み込みが出来ない。表面に支持部材を載せる方法では，側面に内側への空間が無い垂直側面の場合は支持部材を保持し難く部材を吊るすには難点がある。吸盤による方法は，机など表面の材質，処理によっては吸着できない場合が有り，磁石による方法では，冷蔵庫など側面が鉄板などの強磁性体でないと機能しない。また，支持部材の素材や形状によっては机などの板面に傷を付けることが有るなど，それぞれ種々の課題を抱えている。
【考案が解決しようとする課題】
【０００３】机や家具などの材質，処理，形状などに大きく左右されず，表裏面の板厚や側面に空間が無い垂直側面においても影響を受けず，簡単な操作で安定して部材を吊り下げ保持できるとともに，表面に傷を付けることが無い，簡易，小型，設置自在，携帯に便利なベルトフッカーを実現する。
【課題を解決するための手段】
【０００４】すべり止め機能を備え，所定部を折り曲げ自在に形成したベルトの片端部近傍に錘材を搭載し，他端部近傍に保持具を取り付けて手荷物などの部材を吊り下げる部材保持構造に関し，ベルトの錘材搭載部を机や家具などの表面に配置し，すべり止め面を接触させつつ，折り曲げ自在部によりエッジで側面に沿って折り曲げ，保持具に部材を吊り下げる。
【考案の効果】
【０００５】ベルトの錘材搭載部を机や家具などの表面上に配置し，すべり止め面を表面に接触させ，エッジに沿って折り曲げて，保持具に手荷物などの部材を吊り下げる簡単な操作で，手荷物などの部材を保持具に吊り下げることが可能であり，机などの表裏面の板厚に左右されず，側面に空間が無い垂直側面の場合にも，簡単な操作で，安定して部材を保持できるとともに，机などの表面に傷を付けることも無く，ベルトに錘材と保持具を取り付けた極めて簡単な構造であるため，簡易，小型，設置自在で携帯に適している。
【考案を実施するための形態】
【０００６】図１は本考案によるベルトフッカーの構成斜視図を示す。折り曲げ自在なベルト１は，すべり止め材２を備え，片端部近傍に錘材３，他端部近傍に保持具４が形成されている。図２はベルトフッカーを机や家具の表面〜エッジに設置した適用概念図を示す。ベルトは強度を維持しつつ，机などのエッジ７で折り曲げるためエッジ近傍では折り曲げ自在性が必要であり，ナイロン材などで形成するベルト１の裏面にＰＶＣなどのすべり止め材２が取り付けられている。すべり止め材はベルト全域の必要は無く，錘材搭載部から折り返しエッジを通過する領域Ａがカバーされれば良い。折り曲げ自在部はベルト全面，またはエッジ部が架かる領域Ｂに限定しても良い。ベルトフッカーはベルトの錘材搭載部を机などの表面上に設置し，すべり止め面２を表面５に接触させつつ側面６のエッジ７で側面に沿って折り曲げて，保持具４に手荷物などの部材を吊り下げる。
【０００７】錘材３によりベルトを押圧する垂直荷重力，ならびにエッジ７へのベルトの押圧力などによりベルトに作用する静止摩擦力より小さな荷重力の部材を吊り下げることにより部材は保持される。ベルトがエッジ部で折り曲げ自在であることは極めて重要であり，自在な折り曲がりによりエッジ部で梃子作用が起こり難く，基本的に錘材を載せたベルトは吊り下げた部材の荷重により引っ張り移動が作用すると共に，ベルトのすべり止め面がエッジに密接することによる摩擦力も作用して，錘材の荷重を超える部材荷重を吊るすことが出来る。どの程度の荷重の部材を保持できるかは，すべり止め材の摩擦係数と錘材の荷重により決まるが，近年はすべり止め材の対摩擦性能が向上したため，本提案の構造において，錘材の数倍以上の荷重の部材を保持することは容易である。
【０００８】錘材の荷重が大きく，すべり止め材の摩擦係数が大きいほど重たい部材を保持できるが，錘材が重過ぎると携帯に適さなくなるため，請求項２に記載するごとく，錘材の荷重を必用に応じて設定できるように構成し，携帯時には軽い錘材，在宅時には錘材を加算してより重い部材を保持する構成が可能である。図３は荷重を連結して加算する錘材の構成例を示す。（１）は錘材が強磁性体で形成される場合に磁石８を搭載する事例，（２）は面ファスナー９を搭載する事例を示している。
【実施例】
【０００９】ベルトはナイロン材を使用し，縦×横×厚；１３０×３０×１．５ｍｍとし，錘材は比重の大きい鉄材を使用，錘材の荷重は２００ｇ程度とし，縦×横×厚；６×３×１．５ｃｍ。すべり止め材としてはＰＶＣ材で，表面に多くの凹凸を形成して密接性を高めている。ベルトとしてはポリエステル，ビニール，綿，皮革など，すべり止め材としてはポリエステル，エラストーマなども使用可能である。実施例ではベルト全面を折り曲げ自在な構成としたが，折り曲げ自在な領域をエッジ部が架かる近傍の範囲Ｂに限定する場合は，Ｂ部分を軟質材，それ以外の領域を硬質材で構成するなどが可能である。また，ベルト自体をすべり止め材で構成することも出来る。錘材に関しては，小型で荷重の大きな材質が望ましいため，比重の大きな鉄，銅，真鍮などが適している。また，錘材をキャラクターや動物などの形として装飾効果を持たせることも出来る。保持具はフックに限らず，クリップ，袋などでも良く，交換可能な構造として任意に変更できる構造としたり，使用しないときに取り外したり，折りたたむ構造なども意味がある。適用する素材，構造，サイズ，デイメンジョンなどは本実施例に限られることなく，本考案の趣旨を逸脱しない範囲であれば種々変形実施が可能である。
【図面の簡単な説明】
【００１０】
【図１】本考案によるベルトフッカーの構成斜視図を示す。
【図２】ベルトフッカーを机に設置した適用概念図を示す。
【図３】錘材の荷重を加算する構成斜視図を示す。（１）マグネット装着  （２）面ファスナー装着
【符号の説明】    １  ベルト                      ８  磁石
２  すべり止め材                ９  面ファスナー
３  錘材                        Ａ  すべり止め領域
４  保持具                      Ｂ  折り曲げ自在領域
５  表面
６  側面
７  エッジ
【図１】
0003152918.tif 000003
【図２】
0003152918.tif 000004
【図３】
0003152918.tif 000005
【手続補正書】
【提出日】平成21年5月25日(2009.5.25)
【手続補正１】
【補正対象書類名】実用新案登録請求の範囲
【補正対象項目名】全文
【補正方法】変更
【補正の内容】
【実用新案登録請求の範囲】
【請求項１】
下面または両面の所定範囲にすべり止め機能を備え，すべり止め範囲内における所定部分を折り曲げ自在とするベルトにおいて，片端部に手荷物などの部材を吊り下げる保持具を備え，かつ，保持具から所定距離だけ離れたすべり止め範囲内のベルト上面に搭載する錘材により，ベルト下面のすべり止め面を机や家具などの表面に押圧して，吊り下げ部材の落下を防ぐ部材保持具を構成し，ベルトの錘材搭載部を机や家具などの表面にすべり止め面を接触させて配置し，折り曲げ自在部によりエッジで側面に沿って折り曲げ，保持具に部材を吊り下げることにより，錘材によりベルトを押圧する垂直荷重力，ならびにエッジへの押圧力などにより，ベルトに作用する静止摩擦力より小さな荷重力の部材を，机や家具などの側面に吊り下げることが出来る，簡易，小型，設置自在，携帯に便利なベルトフッカー。
【請求項２】
錘材の垂直荷重力を設定可能な構造とする，請求項１に記載する，簡易，小型，設置自在，携帯に便利なベルトフッカー。
【手続補正２】
【補正対象書類名】明細書
【補正対象項目名】０００１
【補正方法】変更
【補正の内容】
【０００１】下面または両面の所定範囲にすべり止め機能を備え，すべり止め範囲内における所定部分を折り曲げ自在とするベルトにおいて，片端部に手荷物などの部材を吊り下げる保持具を備え，かつ，保持具から所定距離だけ離れたすべり止め範囲内のベルト上面に搭載する錘材により，ベルト下面のすべり止め面を机や家具などの表面に押圧して，吊り下げ部材の落下を防ぐ部材保持具を構成し，ベルトの錘材搭載部を机や家具などの表面にすべり止め面を接触させて配置し，折り曲げ自在部によりエッジで側面に沿って折り曲げ，保持具に部材を吊り下げるベルトフッカー。
【手続補正３】
【補正対象書類名】明細書
【補正対象項目名】０００４
【補正方法】変更
【補正の内容】
【０００４】下面または両面の所定範囲にすべり止め機能を備え，すべり止め範囲内における所定部分を折り曲げ自在とするベルトにおいて，片端部に手荷物などの部材を吊り下げる保持具を備え，かつ，保持具から所定距離だけ離れたすべり止め範囲内のベルト上面に搭載する錘材により，ベルト下面のすべり止め面を机や家具などの表面に押圧して，吊り下げ部材の落下を防ぐ。
【手続補正４】
【補正対象書類名】明細書
【補正対象項目名】０００９
【補正方法】変更
【補正の内容】
【０００９】ベルトはナイロン材を使用し，縦×横×厚；１３０×３０×１．５ｍｍとし，錘材は比重の大きい鉄材を使用，錘材の荷重は２００ｇ程度とし，縦×横×厚；６×３×１．５ｃｍ。すべり止め材としてはＰＶＣ材で，表面に多くの凹凸を形成して密接性を高めている。ベルトとしてはポリエステル，ビニール，綿，皮革など，すべり止め材としてはポリエステル，エラストーマなども使用可能である。実施例ではベルト全面を折り曲げ自在な構成としたが，折り曲げ自在な領域をエッジ部が架かる近傍の範囲Ｂに限定する場合は，Ｂ部分を軟質材，それ以外の領域を硬質材で構成するなどが可能である。また，ベルト自体をすべり止め材で構成することも出来る。錘材の搭載方法としては，ベルトの所定位置に固定する方法，固定せず最適な位置に搭載する方法などが考えられ，搭載位置もベルトの片端近傍に限定されるものではない。また，小型で荷重の大きな材質が望ましいため，比重の大きな鉄，銅，真鍮などが適している。錘材をキャラクターや動物などの形として装飾効果を持たせることも出来る。保持具はフックに限らず，クリップ，袋などでも良く，交換可能な構造として任意に変更できる構造としたり，使用しないときに取り外したり，折りたたむ構造なども意味がある。適用する素材，構造，サイズ，ディメンジョンなどは本実施例に限られることなく，本考案の趣旨を逸脱しない範囲であれば種々変形実施が可能である。